(57)【要約】【課題】楽器において、筐体内で発生した音を筐体の所望の開口から効率よく外部に出すことができるようにする。【解決手段】内部空間１１、及び、内部空間を外部につなぐ開口１２を有する筐体２と、音を発生して内部空間において伝播させる音源３と、筐体の外側において筐体の開口に対向する対向面４ａを有すると共に、筐体の開口が外部に向く方向に対して対向面が傾斜する位置に配置可能な蓋部４と、内部空間に設けられ、音源において発生した音が筐体の開口から外部に出るように音を反射する反射面５ａを有する反射部５と、を備える楽器１を提供する。【選択図】図１
2019086650.tif 000002
【特許請求の範囲】
【請求項１】
内部空間、及び、前記内部空間を外部につなぐ開口を有する筐体と、
音を発生して前記内部空間において伝播させる音源と、
前記筐体の外側において前記筐体の開口に対向する対向面を有すると共に、前記筐体の開口が外部に向く方向に対して前記対向面が傾斜する位置に配置可能な蓋部と、
前記内部空間に設けられ、前記音源において発生した前記音が前記筐体の開口から外部に出るように前記音を反射する反射面を有する反射部と、
を備える楽器。
【請求項２】
前記音源は、平坦な面に形成されて前記音を放音する放音面を有し、
前記反射部は、前記反射面が前記放音面に対して傾斜するように前記放音面に対向して配されている請求項１に記載の楽器。
【請求項３】
前記反射部は、前記放音面に対する前記反射面の傾斜角度が変化するように前記筐体に対して回転可能に取り付けられる請求項２に記載の楽器。
【請求項４】
前記放音面に対する前記反射面の傾斜角度は、５度以上１５度以下である請求項２又は請求項３に記載の楽器。
【請求項５】
前記反射部は、前記筐体に一体に形成されている請求項１又は請求項２に記載の楽器。
【請求項６】
前記反射部は、前記筐体の内面に固定される請求項１又は請求項２に記載の楽器。
【請求項７】
内部空間、及び、前記内部空間を外部につなぐ開口を有する筐体と、
音を発生して前記内部空間において伝播させる響板と、
前記筐体の外側において前記筐体の開口に対向する対向面を有すると共に、前記筐体の開口が外部に向く方向に対して前記対向面が傾斜する位置に配置可能な蓋部と、
前記内部空間のうち前記響板の内面に対向する位置に設けられ、前記響板において発生した前記音が前記筐体の開口から外部に出るように前記音を反射する反射面を有する反射部と、
を備えるアップライトピアノ。
【請求項８】
前記反射部は、前記響板の内面のうち１ｋＨｚよりも高い周波数の前記音を発生する領域に対向する位置に設けられる請求項７に記載のアップライトピアノ。
【請求項９】
前記反射部は、前記筐体の上前板及び下前板の少なくとも一方に設けられる請求項７又は請求項８に記載のアップライトピアノ。
【発明の詳細な説明】
【技術分野】
【０００１】
本発明は、楽器及びアップライトピアノに関する。
【背景技術】
【０００２】
従来、アップライトピアノ等のように、開口を有する筐体と、音を発生して筐体内で伝播させる音源と、を備える楽器がある。一般的なアップライトピアノでは、音源である響板において発生して筐体内で伝播する音を主に外部に出すための開口が、筐体の上部に設けられている。
特許文献１には、筐体の下前板を下板と上板とに分割して形成し、上板を下板に対して回転可能かつ所定角度で保持可能に連結したアップライトピアノが開示されている。特許文献１のアップライトピアノでは、下前板の上板を開くことで、音源である響板において発生して筐体内で伝播する音が、筐体の前面側の開口から外部に出る。
【先行技術文献】
【特許文献】
【０００３】
【特許文献１】実公平０７−０２５８３２号公報
【発明の概要】
【発明が解決しようとする課題】
【０００４】
ところで、筐体及び音源を有する上記従来の楽器では、筐体内で発生した音が、筐体の所望の開口（例えばアップライトピアノにおける筐体上部の開口）から効率よく外部に出ないことがある。
例えば、一般的なアップライトピアノでは、響板と上前板や下前板とが、筐体の上下方向に直交する方向（前後方向）に並び、互いに平行している。このため、響板において発生し筐体内で伝播する音は、上前板や下前板と響板との間で反射を繰り返して減衰してしまう。その結果として、筐体内で伝播する音を、筐体上部の開口から効率よく外部に出すことができない、という問題がある。
【０００５】
本発明は、上述した事情に鑑みてなされたものであって、筐体内で発生した音を筐体の所望の開口から効率よく外部に出すことができる楽器及びアップライトピアノを提供することを目的とする。
【課題を解決するための手段】
【０００６】
本発明の楽器は、内部空間、及び、前記内部空間を外部につなぐ開口を有する筐体と、音を発生して前記内部空間において伝播させる音源と、前記筐体の外側において前記筐体の開口に対向する対向面を有すると共に、前記筐体の開口が外部に向く方向に対して前記対向面が傾斜する位置に配置可能な蓋部と、前記内部空間に設けられ、前記音源において発生した前記音が前記筐体の開口から外部に出るように前記音を反射する反射面を有する反射部と、を備える。
【０００７】
本発明のアップライトピアノは、内部空間、及び、前記内部空間を外部につなぐ開口を有する筐体と、音を発生して前記内部空間において伝播させる響板と、前記筐体の外側において前記筐体の開口に対向する対向面を有すると共に、前記筐体の開口が外部に向く方向に対して前記対向面が傾斜する位置に配置可能な蓋部と、前記内部空間のうち前記響板の内面に対向する位置に設けられ、前記響板において発生した前記音が前記筐体の開口から外部に出るように前記音を反射する反射面を有する反射部と、を備える。
【発明の効果】
【０００８】
本発明によれば、音源や響板において発生して内部空間で伝播する音を、筐体の開口から効率よく外部に出すことができる。
【図面の簡単な説明】
【０００９】
【図１】本発明の一実施形態に係るアップライトピアノを示す側断面図である。
【図２】図１のアップライトピアノにおける響板及び駒を示す平面図である。
【図３】図１のアップライトピアノにおける音の伝達を説明するための図である。
【図４】本発明の他の実施形態に係るアップライトピアノの要部を示す側断面図である。
【発明を実施するための形態】
【００１０】
以下、図１−３を参照して本発明の一実施形態について説明する。本実施形態では、本発明に係る楽器として、アップライトピアノ１（以下、ピアノ１と呼ぶ。）を例示する。図１−３においては、ピアノ１の演奏者Ｐ（図３参照）から見てピアノ１の左右方向をＸ軸方向とし、ピアノ１の前後方向をＹ軸方向とし、ピアノ１の上下方向をＺ軸方向としている。
【００１１】
図１に示すように、本実施形態に係るピアノ１は、筐体２と、響板（音源）３と、蓋部４と、反射部５と、を備える。また、本実施形態のピアノ１は、鍵盤部６、アクション機構７、弦８、駒９など、一般的なアップライトピアノの構成を備える。
【００１２】
筐体２は、内部空間１１、及び、内部空間１１を外部につなぐ開口１２を有する。
本実施形態における筐体２の内部空間１１は、上前板１３、下前板１４、一対の親板１５、屋根後１６、底板１７、棚板１８、前框１９、鍵盤部６及び響板３によって囲まれた空間である。すなわち、本実施形態の鍵盤部６や響板３は、筐体２の一部を構成している。響板３の内面３ａ（筐体２の内側に向く面）は、ピアノ１の前後方向（Ｙ軸方向）において上前板１３や下前板１４の内面１３ａ，１４ａ（筐体２の内側に向く面）に対向している。また、響板３の内面３ａは、上前板１３や下前板１４の内面１３ａ，１４ａに対して平行している。
本実施形態における筐体２の開口１２は、上前板１３及び一対の親板１５の上端、並びに、屋根後１６の前端によって囲まれた領域である。本実施形態において、筐体２の開口１２が外部に向く方向は、筐体２の上方（Ｚ軸正方向）である。
【００１３】
響板３は、音を発生して筐体２の内部空間１１において伝播させる。響板３において音を発生させる機構は、一般的なアップライトピアノと同様である。すなわち、鍵盤部６の鍵２１を押し下げると、アクション機構７のハンマー２２が響板３の内面３ａ上に張られた弦８を打撃する。打撃された弦８は振動する。弦８の振動は響板３の内面３ａに設けられた駒９を介して響板３に伝達される。これにより、響板３がその板厚方向に振動して音が発生する。
響板３は、弦８の振動が駒９を介して伝達される部位において最も大きく振動する。このため、響板３において発生する音の大きさは、響板３のうち弦８の振動が駒９を介して伝達される部位において最も大きくなる。
【００１４】
響板３において発生した音は、主に響板３の板厚方向において、響板３の外面３ｂ（筐体２の外側に向く面）から離れる方向（主にＹ軸負方向）、及び、響板３の内面３ａから離れる方向（主にＹ軸正方向）に伝播する。すなわち、平坦な面に形成された響板３の内面３ａは、響板３において発生した音を放音する放音面となっている。
【００１５】
蓋部４は、筐体２の外側において筐体２の開口１２に対向する対向面４ａを有する。蓋部４は、図１に例示するように、筐体２の開口１２が外部に向く方向に対して蓋部４の対向面４ａが傾斜する位置に配置可能とされている。
本実施形態における蓋部４は、一般的なアップライトピアノにおける屋根前であり、屋根後１６の前端に接続されている。本実施形態において、蓋部４の対向面４ａは、屋根後１６の前端からピアノ１の前側（Ｙ軸正方向側）に向かうにしたがってピアノ１の上方（Ｚ軸正方向）に向かう方向に傾斜している。蓋部４の対向面４ａは、例えば湾曲した面に形成されてよいが、本実施形態では平坦な面に形成されている。
【００１６】
蓋部４は、例えば、筐体２の開口１２が外部に向く方向に対する対向面４ａの傾斜角度θ１が変化しないように、筐体２に対して固定されてよい。この場合、対向面４ａの傾斜角度θ１は、少なくとも０度よりも大きく９０度よりも小さければよい。
【００１７】
本実施形態における蓋部４は、対向面４ａの傾斜角度θ１が変化するように筐体２に対して回転可能に取り付けられている。具体的に、蓋部４は、屋根後１６の前端に対してピアノ１の左右方向に延びる軸線を中心に回転可能とされている。対向面４ａの傾斜角度θ１が９０度である状態では、筐体２の開口１２が蓋部４によって塞がれる。
本実施形態の蓋部４は、対向面４ａが（筐体２の開口１２が外部に向く方向に対して）所定の傾斜角度θ１で傾斜した状態に維持されるように、筐体２に対して保持される。所定の傾斜角度θ１は、少なくとも０度よりも大きく９０度よりも小さい範囲であれば、任意であってよい。蓋部４を筐体２に対して保持する構成は、例えば蓋部４から上前板１３や親板１５の上端まで延びる支持棒など任意であってよい。
【００１８】
反射部５は、筐体２の内部空間１１に設けられている。具体的に、反射部５は、内部空間１１のうち響板３の内面３ａに対向する位置に設けられる。反射部５は、響板３において発生した音が筐体２の開口１２から外部に出るように音を反射する反射面５ａを有する。反射面５ａは、例えば湾曲した曲面であってよいが、本実施形態では平坦面である。
【００１９】
反射部５は、反射面５ａが響板３の内面３ａ（放音面）に対して傾斜するように響板３の内面３ａに対向して配されている。
反射面５ａは、響板３の内面３ａ及び筐体２の開口１２の両方に向くように、響板３の内面３ａに対して傾斜している。具体的に、反射面５ａは、響板３の内面３ａに沿って筐体２の開口１２に近づくにしたがって（Ｚ軸正方向に向かうにしたがって）響板３の内面３ａから離れるように、響板３の内面３ａに対して傾斜している。
【００２０】
響板３の内面３ａに対する反射面５ａの傾斜角度θ２は、少なくとも０度より大きく９０度より小さければよい。本実施形態における反射面５ａの傾斜角度θ２は、５度以上１５度以下である。
【００２１】
反射部５は、例えばピアノ１の前後方向において響板３と上前板１３や下前板１４との間に配されてよい。すなわち、反射部５は、上前板１３や下前板１４の内面１３ａ，１４ａに対して間隔をあけて位置してよい。また、反射部５は、例えば下前板１４に設けられてもよいし、上前板１３及び下前板１４の両方に設けられてもよい。本実施形態において、反射部５は上前板１３のみに設けられている。本実施形態の反射部５は、上前板１３と別個に構成され、上前板１３の内面１３ａに接着等によって固定されている。
反射部５は、少なくとも音を効率よく反射できるように構成されればよく、木材、金属、セラミック、樹脂など任意の材料によって構成されてよい。
【００２２】
反射部５の反射面５ａの寸法（例えば一辺の寸法や直径寸法などの長さ寸法）は、例えば、響板３において発生する音の波長よりも十分に大きいとよい。反射面５ａの寸法が音の波長よりも小さい場合には、該当する波長の音が反射面５ａにおいて反射し難くなり、回折現象が起きやすくなるためである。すなわち、反射面５ａの寸法を響板３において発生する音の波長よりも十分に大きくすることで、該当する波長の音を反射面５ａにおいて効果的に反射できる。また、反射面５ａの寸法をより大きくすることで、（例えば上前板１３や下前板１４の内面１３ａ，１４ａにおける反射面５ａの専有面積を大きくすることで、）より広い周波数帯域の音を反射面５ａにおいて反射することができる。
【００２３】
反射部５は、響板３の内面３ａの任意の領域に対向する位置に設けられてよい。反射部５は、例えば上前板１３や下前板１４の全体又は一部に設けられてよい。
また、反射部５は、例えば響板３の特性を考慮した位置に設けられてよい。以下、響板３の特性について説明する。響板３の内面３ａ上には、振動数が互いに異なる多種類の弦８が、図２に示す駒９（長駒９Ａや短駒９Ｂ）の各長手方向に配列されている。このため、駒９を介して所定の弦８を支持する響板３の内面３ａの所定領域では、響板３の内面３ａの他の領域と比較して、所定の弦８の振動数に応じた周波数の音を強く放音する。すなわち、響板３の内面３ａから強く放音される音の周波数は、響板３の内面３ａの領域に応じて異なる。
反射部５は、例えば、上記した響板３の特性を考慮して、響板３の内面３ａのうち内部空間１１におけるシュレーダー周波数よりも高い周波数の音を発生する領域に対向する位置に設けられてよい。
【００２４】
シュレーダー周波数とは、筐体２の内部空間１１の容積と残響時間（吸音率）によって計算される周波数である。
シュレーダー周波数よりも低い周波数の音は、筐体２の内部空間１１において、筐体２の内部空間１１の音響モードに起因する共振（音の干渉や回折）などの現象が支配的となる周波数帯域（モード音響領域）に含まれる。すなわち、筐体２の内部空間１１では、シュレーダー周波数よりも低い周波数の音に関して、筐体２の内部空間１１の音響モードに起因する共振などの現象が支配的となる。
一方、シュレーダー周波数よりも高い周波数の音は、筐体２の内部空間１１において、筐体２の内部空間１１の幾何形状に起因する反射や拡散等の現象が支配的となる周波数帯域（幾何音響領域）に含まれる。すなわち、筐体２の内部空間１１では、シュレーダー周波数よりも高い周波数の音に関して、筐体２の内部空間１１の幾何形状に起因する反射や拡散等の現象が支配的となる。
【００２５】
本実施形態のピアノ１の内部空間１１におけるシュレーダー周波数は１ｋＨｚである。このため、本実施形態の反射部５は、例えば、響板３の内面３ａのうち１ｋＨｚよりも高い周波数の音を発生する領域に対向する位置に設けられてよい。また、反射部５は、例えば、響板３の内面３ａのうち確実に幾何音響領域に含まれる１．５ｋＨｚ以上の周波数の音を発生する領域に対向する位置に設けられてよい。
反射部５は、例えば、響板３の内面３ａのうち放音される基音及び倍音（二倍音、三倍音など）の周波数が１．５ｋＨｚ以上となる領域に対向する位置に設けられてよい。また、反射部５は、例えば響板３の内面３ａのうち放音される基音の周波数が１．５ｋＨｚ以上となる領域に対向する位置に設けられてよい。基音の周波数が１．５ｋＨｚ以上となる響板３の内面３ａの領域は、例えば図２に示すように、長駒９Ａの右上部分を配した響板３の内面３ａの領域、及び、その周囲領域である。
【００２６】
図１に示すように、筐体２の開口１２が駒９よりも上方に位置するピアノ１において、反射部５が駒９の所定部位（例えば１．５ｋＨｚ以上の音が放音される響板３の部位）に対向するように配される場合、反射部５の反射面５ａの下端は、図１，２に示すように、反射面５ａに対向する駒９よりも下方に位置すると良い。この場合、駒９の所定部位を配した響板３の内面３ａの領域から放射状に放音される大きな音を、より確実に反射部５の反射面５ａにおいて反射させて筐体２の開口１２側に向かわせることができる。
【００２７】
次に、本実施形態に係るピアノ１の作用について、主に図３を参照して説明する。図３においては、音の主な伝播方向を矢印で示している。
ピアノ１において所定の弦８の振動が駒９を介して響板３に伝達されると、響板３がその板厚方向に振動して、図３に示すように、音が響板３の内面３ａから離れる方向（主にＹ軸正方向）に伝播する。
【００２８】
響板３の内面３ａから離れる方向に伝播した音は、響板３の内面３ａに対向する反射部５の反射面５ａにおいて反射する。ここで、反射面５ａは響板３の内面３ａ及び筐体２の開口１２の両方に向くように、響板３の内面３ａに対して傾斜している。このため、反射面５ａにおいて反射した音は、響板３の板厚方向（Ｙ軸方向）に対してピアノ１の上方（Ｚ軸正方向）に傾斜する方向に伝播する。
【００２９】
反射面５ａにおいて反射した音は、例えば筐体２の開口１２から外部に出てもよい。本実施形態において、反射面５ａにおいて反射した音は、響板３の内面３ａにおいてさらに反射する。ここで、反射面５ａにおいて反射した音は響板３の内面３ａに対して傾斜した方向から入射する。このため、響板３の内面３ａにおいて反射した音は、響板３の板厚方向（Ｙ軸方向）に対してピアノ１の上方（Ｚ軸正方向）に傾斜する方向に伝播する。
【００３０】
響板３の内面３ａにおいて反射した音は、例えば筐体２の開口１２から外部に出てもよいし、図示例のように反射部５の反射面５ａ及び響板３の内面３ａにおいてさらに反射を繰り返した上で、筐体２の開口１２から外部に出てもよい。図示例では、反射部５の反射面５ａ及び響板３の内面３ａにおいて二回ずつ反射した上で、筐体２の開口１２から外部に出る。
【００３１】
その後、筐体２の開口１２から外部に出た音は、所定の傾斜角度θ１（図１参照）で傾斜した蓋部４の対向面４ａにおいて反射する。これにより、筐体２から外部に出た音の伝播方向を変えることができる。本実施形態の蓋部４は、対向面４ａの傾斜角度θ１が変化するように筐体２に取り付けられているため、筐体２の開口１２から外部に出た音を所望の方向に伝播させることができる。
【００３２】
本実施形態のピアノ１では、反射面５ａの傾斜角度θ２（図１参照）及び蓋部４の対向面４ａの傾斜角度θ１の組み合わせを適切に設定することで、筐体２から外部に出た音を、ピアノ１の正面に位置する演奏者Ｐに好適に向かわせることができる。例えば、蓋部４の対向面４ａの傾斜角度θ１を４５度（又はこれに近い角度）とした場合には、反射面５ａの傾斜角度θ２を１２度〜１３度とすることで、筐体２から外部に出た音を、ピアノ１の正面に位置する演奏者Ｐに好適に向かわせることができる。
【００３３】
以上説明したように、本実施形態のピアノ１によれば、筐体２の内部空間１１に、響板３において発生した音が筐体２の開口１２から外部に出るように当該音を反射させる反射部５が設けられている。このため、響板３において発生して内部空間１１で伝播する音を、筐体２の開口１２から効率よく出すことができる。特に本実施形態では、響板３で発生して内部空間１１において伝播する音を、積極的に筐体２の上方の開口１２から外部に出すことができる。
【００３４】
また、本実施形態のピアノ１によれば、蓋部４が、筐体２の外側において筐体２の開口１２が外部に向く方向に対して傾斜する対向面４ａを有する。このため、筐体２の開口１２から外部に出た音を、蓋部４の対向面４ａにおいて反射させることで、ピアノ１の外部において所望の方向に伝播させることができる。
特に本実施形態では、筐体２の上方の開口１２から外部に出た音を蓋部４の対向面４ａにおいて反射させることで、筐体２の前側（Ｙ軸正方向側）に伝播させることができる。これにより、ピアノ１における音の定位を、一般的なアップライトピアノと比較して、より上方に位置させることができる。例えば、ピアノ１における音の定位を、グランドピアノにおける音の定位に近づけることができる。
【００３５】
また、本実施形態のピアノ１によれば、反射部５の反射面５ａが響板３の内面３ａに対して傾斜するように対向している。このため、響板３の内面３ａから放音された音を反射部５の反射面５ａにおいて反射させることで、反射した音の伝播方向を、響板３の内面３ａから放音された音の伝播方向に対して傾斜させることができる。すなわち、筐体２内における音の伝播方向を変えることができる。これにより、筐体２内で発生した音を、確実に筐体２の開口１２から外部に出すことができる。
【００３６】
また、本実施形態のピアノ１によれば、響板３の内面３ａに対する反射面５ａの傾斜角度θ２が５度以上１５度以下となっている。反射面５ａの傾斜角度θ２が５度以上であることで、反射面５ａにおいて反射した音を筐体２の開口１２に容易に到達させることができる。また、反射面５ａの傾斜角度θ２を１５度以下とすることで、内部空間１１における反射部５の体積を小さく抑えることができる。これにより、アクション機構７など筐体２の内部空間１１に配されるピアノ１の他の部品との干渉を好適に抑制できる。また、反射部５による筐体２の内部空間１１の音響特性の変化も小さく抑えることができる。
【００３７】
また、本実施形態のピアノ１によれば、反射部５が筐体２の内面に固定されている。具体的には、反射部５が上前板１３の内面１３ａに固定されている。このため、一般的なアップライトピアノ（従来の楽器）に反射部５を設けるだけで、響板３において発生して内部空間１１で伝播する音を、簡単に筐体２の開口１２から効率よく外部に出すことができる。この効果は、反射部５を下前板１４の内面１４ａに固定した場合であっても同様に奏し得る。
また、筐体２の内面と間隔をあけて配する場合と比較して、反射部５を設けることによる筐体２の内部空間１１の形状変化を小さく抑えることができる。したがって、反射部５に基づく筐体２の音響特性の変化を抑制することができる。
【００３８】
また、本実施形態のピアノ１において、反射部５が、響板３の内面３ａのうち１ｋＨｚ（シュレーダー周波数）よりも高い周波数の音を発生する領域に対向する位置に設けられる場合には、以下の効果を奏する。筐体２内に設けられる反射部５（特に反射面５ａ）の大きさを小さく抑えながら、幾何音響領域に含まれる周波数の音を、反射部５の反射面５ａにおいて効率よく反射させて、効果的に筐体２の外部に出すことができる。
【００３９】
上記実施形態において、反射部５は、図４に例示するように、響板３の内面３ａに対する傾斜角度θ２が変化するように筐体２に対して回転可能に取り付けられてよい。具体的に、反射部５は、筐体２に対してピアノ１Ａの左右方向に延びる軸線を中心に回転可能とされてよい。反射部５は、図示例のように上前板１３の内面１３ａに取り付けられてよいが、例えば下前板１４の内面１４ａ等に取り付けられてもよい。
この場合、ピアノ１Ａの上下方向における反射部５の上端部が、蝶番３０等を介して筐体２の内面に取り付けられればよい。また、反射部５は、反射面５ａが所定の傾斜角度θ２で傾斜した状態に維持されるように、上前板１３や下前板１４に対して保持されればよい。反射部５を筐体２に対して保持する構成は、例えば反射部５の下端部から筐体２の内面まで延びる支持棒など任意であってよい。
【００４０】
反射部５が上前板１３や下前板１４などの筐体２の内面に対して回転可能に取り付けられる場合には、上記実施形態と同様に、一般的なアップライトピアノに反射部５を設けるだけで、響板３において発生した音を筐体２の開口１２から効率よく外部に出すことができる。また、筐体２に対する反射部５の取付精度が低くても、反射部５を筐体２に取り付けた後に、反射面５ａの傾斜角度θ２を適切に調整することができる。すなわち、反射面５ａの傾斜角度θ２を簡単に設定することができる。
【００４１】
また、上記実施形態においては、例えば反射部５が上前板１３や下前板１４と一体に形成されてよい。すなわち、反射部５の反射面５ａが、例えば上前板１３や下前板１４の内面１３ａ，１４ａによって構成されてよい。この場合、上前板１３や下前板１４の内面１３ａ，１４ａは、例えば、上前板１３や下前板１４の内面１３ａ，１４ａ側の部分を削る等することで、響板３の内面３ａに対して傾斜してよい。また、上前板１３や下前板１４の内面１３ａ，１４ａは、例えば、上前板１３や下前板１４が響板３の内面３ａに対して傾斜するように配されることで、響板３の内面３ａに対して傾斜してもよい。
反射部５が上前板１３や下前板１４などの筐体２の部位に一体に形成される場合には、アップライトピアノ（楽器）の構成部品点数を増やすことなく、響板において発生し内部空間１１で伝播する音を、筐体２の開口１２から効率よく外部に出すことができる。
【００４２】
以上、本発明について詳細に説明したが、本発明は上記実施形態に限定されるものではなく、本発明の趣旨を逸脱しない範囲において種々の変更を加えることが可能である。
【００４３】
本発明は、アップライトピアノに適用されることに限らず、内部空間及び開口を有する筐体と、音を発生して内部空間において伝播させる音源と、筐体の外側において筐体の開口が外部に向く方向に対して傾斜する対向面を有する蓋部と、を備える任意の楽器に適用可能である。
【００４４】
本発明の楽器において、響板等の音源は、筐体の一部を構成することに限らず、例えば筐体と別個に構成されてもよい。すなわち、音源は、例えば筐体の内部空間に配されてもよい。
【符号の説明】
【００４５】
１，１Ｄ…ピアノ（楽器）、２…筐体、３…響板（音源）、３ａ…内面（放音面）、４…蓋部、４ａ…対向面、５…反射部、５ａ…反射面、１１…内部空間、１２…開口、１３…上前板、１３ａ…内面、１４…下前板、１４ａ…内面、θ１…対向面４ａの傾斜角度、θ２…反射面５ａの傾斜角度
【図１】
2019086650.tif 000003
【図２】
2019086650.tif 000004
【図３】
2019086650.tif 000005
【図４】
2019086650.tif 000006